(57)【要約】改良シロアリ食餌組成物は、約１〜１００マイクロメートルの範囲の粒度を有する粉末化セルロース系誘引物質およびシロアリ殺虫剤を含んでなる。シロアリ食餌組成物をシロアリ寄生領域に適用することによるシロアリの抑制方法、およびシロアリ誘引パッケージ内に包まれているシロアリ食餌組成物を含むシロアリ食餌場で使用するためのシロアリ食餌組成物パッケージも開示されている。【特許請求の範囲】
【請求項１】
約１〜１００マイクロメートルの範囲の粒度を有する粉末化微結晶セルロース誘引物質およびシロアリ殺虫剤を含んでなるシロアリ食餌組成物。
【請求項２】
シロアリ殺虫剤が、キチン合成阻害剤、幼若ホルモン模擬物、消化毒物、接触殺虫剤およびこれらの混合物からなる群から選ばれている請求項１に記載のシロアリ食餌組成物。
【請求項３】
粉末化微結晶セルロース誘引物質が、約２０〜５０マイクロメートルの範囲の粒度を有する請求項１に記載のシロアリ食餌組成物。
【請求項４】
キチン合成阻害剤が、ヘキサフルムロン（ｈｅｘａｆｌｕｍｕｒｏｎ）、フルフェノクスロン（ｆｌｕｆｅｎｏｘｕｒｏｎ）、ルフェヌロン（ｌｕｆｅｎｕｒｏｎ）およびジミリン（ｄｉｍｉｌｉｎ）からなる群から選ばれている請求項１に記載のシロアリ食餌組成物。
【請求項５】
幼若ホルモン模擬物が、メトプレン（ｍｅｔｈｏｐｒｅｎｅ）およびピリプロキシフェン（ｐｙｒｉｐｒｏｘｙｆｅｎ）からなる群から選ばれている請求項１に記載のシロアリ食餌組成物。
【請求項６】
消化毒物が、サルファアミド（ｓｕｌｆｕｒａｍｉｄｅ）、アバメクチン（ａｂａｍｅｃｔｉｎ）、氷晶石、ホウ酸並びにアルカリおよびアルカリ土類ホウ酸塩からなる群から選ばれている請求項１に記載のシロアリ食餌組成物。
【請求項７】
接触殺虫剤が、チアメトキサン（ｔｈｉａｍｅｔｈｏｘａｍ）、イミダクロプリド（ｉｍｉｄａｃｌｏｐｒｉｄ）およびフィプロニル（ｆｉｐｒｏｎｉｌ）からなる群から選ばれている請求項１に記載のシロアリ食餌組成物。
【請求項８】
シロアリ寄生領域に、約１〜１００マイクロメートルの範囲の粒度を有する粉末化微結晶セルロース誘引物質およびシロアリ殺虫剤を含むシロアリ食餌組成物を適用することを含んでなるシロアリの抑制方法。
【請求項９】
シロアリ殺虫剤が、キチン合成阻害剤、幼若ホルモン模擬物、消化毒物、接触殺虫剤およびこれらの混合物からなる群から選ばれている請求項８に記載のシロアリの抑制方法。
【請求項１０】
粉末化微結晶セルロース誘引物質が、約２０〜５０マイクロメートルの範囲の粒度を有する請求項９に記載のシロアリの抑制方法。
【請求項１１】
合成阻害剤が、ヘキサフルムロン（ｈｅｘａｆｌｕｍｕｒｏｎ）、フルフェノクスロン（ｆｌｕｆｅｎｏｘｕｒｏｎ）、ルフェヌロン（ｌｕｆｅｎｕｒｏｎ）およびジミリン（ｄｉｍｉｌｉｎ）からなる群から選ばれている請求項９に記載のシロアリの抑制方法。
【請求項１２】
幼若ホルモン模擬物が、メトプレン（ｍｅｔｈｏｐｒｅｎｅ）およびピリプロキシフェン（ｐｙｒｉｐｒｏｘｙｆｅｎ）からなる群から選ばれている請求項９に記載のシロアリの抑制方法。
【請求項１３】
消化毒物が、サルファアミド（ｓｕｌｆｕｒａｍｉｄｅ）、アバメクチン（ａｂａｍｅｃｔｉｎ）、氷晶石、ホウ酸並びにアルカリおよびアルカリ土類ホウ酸塩からなる群から選ばれている請求項９に記載のシロアリの抑制方法。
【請求項１４】
接触殺虫剤が、チアメトキサン（ｔｈｉａｍｅｔｈｏｘａｍ）、イミダクロプリド（ｉｍｉｄａｃｌｏｐｒｉｄ）およびフィプロニル（ｆｉｐｒｏｎｉｌ）からなる群から選ばれている請求項９に記載のシロアリの抑制方法。
【請求項１５】
約１〜１００マイクロメートルの範囲の粒度を有する粉末化微結晶セルロース誘引物質およびシロアリ殺虫剤を含有し、シロアリ誘引パッケージ内に包まれているシロアリ食餌組成物を含むシロアリ食餌場で使用するための、シロアリ食餌組成物パッケージ。
【請求項１６】
シロアリ誘引パッケージが、セルロース系物質から構成されている請求項１５に記載のシロアリ食餌組成物パッケージ。
【請求項１７】
セルロース系物質が、紙である請求項１６に記載のシロアリ食餌組成物パッケージ。
【請求項１８】
粉末化微結晶セルロース誘引物質が、約２０〜５０マイクロメートルの範囲の粒度を有する請求項１５に記載のシロアリ食餌組成物パッケージ。
【発明の詳細な説明】
【０００１】
（技術分野）
本発明は、シロアリを抑制するためのシロアリ食餌組成物および方法、とりわけ約１〜１００マイクロメートルの範囲の粒度を有する粉末化セルロース系誘引物質を用いる、そのような組成物および方法に関する。
【０００２】
（背景技術）
先行技術では、化学誘引物質を使用することおよび刺激物を供給することが、昆虫またはシロアリ食餌組成物の効力を、昆虫またはシロアリ食餌の誘引または摂取率を向上させることによって高めるために知られている。即ち先行技術は、紙、木材または他のセルロース誘導物質から構成される食餌誘引物質の使用を教示し、そのような食餌誘引物質は、木片、おが屑、細断紙または厚紙の物理的形態をとる。活性シロアリ殺虫剤または成分は、一般に、既知の方法、例えば吸収、ブレンドまたは他の通常の配合手段によりそのような食餌に組み込まれている。米国特許第４，３６３，７９８号、同５，６０９，８７９号、同５，８０２，７７９号、同５，８２０，８５５号および同５，９３７，５７１号は、シロアリを抑制するための先行技術のシロアリ食餌組成物および方法に関連する開示のために参照される。先行技術は、１００マイクロメートル未満の粒度の誘引物質を使用するという言及が全く欠けている。
【０００３】
（発明の開示）
本発明のいくつかの目的の中で、１〜１００マイクロメートルの範囲の粒度を有する粉末化セルロース系微紛を誘引物質として使用する、シロアリ抑制のためのシロアリ食餌組成物および方法の提供；そのようなセルロース系誘引物質の使用は、シロアリ抑制剤または殺虫剤にとって、シロアリの摂取およびその結果として生ずる暴露の増加を促進する、そのようなシロアリ食餌組成物および方法の提供；そのようなセルロース系誘引物質は、組成物のシロアリに対する良好な接着を可能にし、それによりシロアリ抑制剤または殺虫剤を接触およびグルーミングによってシロアリコロニーに導入する見込みが増大する、そのようなシロアリ食餌組成物および方法の提供；およびシロアリ抑制の向上のために、容易および経済的に実施し得るそのようなシロアリ食餌組成物および方法の提供は、注目されるであろう。他の目的は、一部分は明らかであり、一部分は以下で指摘される。
【０００４】
簡単にいえば本発明は、約１〜１００マイクロメートルの範囲の粒度を有する粉末化セルロース系誘引物質および該誘引物質によりまたはその中で担持されているシロアリ殺虫剤を含んでなるシロアリ食餌組成物に向けられている。本発明は、シロアリ寄生領域に上記シロアリ食餌組成物を適用することを含んでなる、シロアリの抑制方法にも向けられている。本発明は、さらに密閉セルロース系パッケージ内に包まれている上記シロアリ食餌組成物を含むシロアリ食餌場で使用するための、シロアリ食餌組成物パッケージに向けられている。
【０００５】
（好ましい実施態様の説明）
本発明に従い、誘引物質として約１〜１００マイクロメートルの範囲の粒度を有する粉末化セルロース系物質を、該誘引物質によりまたはその中で担持されているシロアリ殺虫剤または抑制剤と共に使用することにより、向上したシロアリ食餌組成物が提供されることを見出した。この小さい粒度の粉末化セルロース系物質を誘引物質として使用することにより、得られるシロアリ食餌組成物は向上した摂取につながることを見出した。なぜならシロアリは、この小さい粒度の物質をより容易に摂取し得るからである。本発明のシロアリ食餌組成物の微細な粒度は、静電荷を通じてシロアリの体に良好に接着することにより、物理的暴露も向上させる。従って、シロアリ駆除剤または殺虫剤を含有する、微細に粉末化されている食餌組成物は、より容易にシロアリに接着し、その巣に持ち込まれ、そこで、接触およびグルーミングによりそのコロニー中に分散される。それにより本発明の食餌組成物および方法は、小さな粒度の粉末化セルロース系物質を誘引物質として使用することにより、食餌組成物のシロアリによる向上した摂取および良好なシロアリへの接着を通じてシロアリコロニーの抑制向上につながる。
【０００６】
本発明の実施において誘引物質として使用するために、約１〜１００マイクロメートルの範囲内の粒度を有するあらゆるセルロース系物質を、使用することができる。この粒度の微紛または粉末化誘引物質は、セルロース、微結晶セルロース、紙またはこれらの混合物であり得る。誘引物質として本発明において使用するために好ましいセルロース系物質は、微結晶セルロースであり、例えば取引名称 ”Ｌａｔｔｉｃｅ ＮＴ−０２０ Ｍｉｃｒｏｃｒｙｓｔａｌｌｉｎｅ ｃｅｌｌｕｌｏｓｅ”（ＦＭＣ Ｃｏｒｐｏｒａｔｉｏｎ）（平均粒度２０マイクロメートル）で市販されている。約１〜１００マイクロメートル、好ましくは２０〜１００マイクロメートル、より好ましくは２０〜５０マイクロメートルの範囲内の粒度を有する他のセルロース系物質も、本発明の実施において使用し得ることは理解されるであろう。
【０００７】
あらゆる既知のシロアリ殺虫剤若しくは抑制剤またはシロアリ駆除剤も、本発明の実施において使用し得る。これらは、キチン合成阻害剤、例えばヘキサフルムロン（ｈｅｘａｆｌｕｍｕｒｏｎ）、フルフェノクスロン（ｆｌｕｆｅｎｏｘｕｒｏｎ）、ルフェヌロン（ｌｕｆｅｎｕｒｏｎ）およびジミリン（ｄｉｍｉｌｉｎ）、幼若ホルモン模擬物、例えばメトプレン（ｍｅｔｈｏｐｒｅｎｅ）およびピリプロキシフェン（ｐｙｒｉｐｒｏｘｙｆｅｎ）、消化毒物、例えばサルファアミド（ｓｕｌｆｕｒａｍｉｄｅ）、アバメクチン（ａｂａｍｅｃｔｉｎ）、氷晶石、ホウ酸並びにアルカリおよびアルカリ土類ホウ酸塩、並びに接触殺虫剤、例えばチアメトキサン（ｔｈｉａｍｅｔｈｏｘａｍ）、イミジクロプリド（ｉｍｉｄｉｃｌｏｐｒｉｄ）およびフィプロニル（ｆｉｐｒｏｎｉｌ）、またはこれら薬剤の混合物若しくは組合せを含む。使用するシロアリ殺虫剤の粒度は、幅広い範囲で変化し得るが、好ましくは上記セルロース系誘引物質の粒度と同じオーダーである。ジミリンをシロアリ殺虫剤として使用することが好ましく、ジミリンにとってより好ましい粒度範囲は、約２〜５マイクロメートルである。シロアリ殺虫剤または抑制剤は、食餌組成物中に様々な濃度、例えば０．１〜１質量％で存在し得る。
【０００８】
本発明のシロアリ食餌組成物の製造では、使用するシロアリ殺虫剤またはシロアリ駆除剤は、一般に、使用する個々のセルロース系誘引物質中に吸収、ブレンドまたは他の通常の配合手段により組み込まれる。このように製造して、シロアリ殺虫剤は、セルロース系誘引物質によりまたはその中に担持される。
本発明の別の実施態様においてシロアリ食餌組成物を、シロアリ食餌場に配置するためにタブレットまたは顆粒形態に圧縮し得る。
【０００９】
本発明のさらなる実施態様において、上記のように製造した本発明のシロアリ食餌組成物を、シロアリ誘引パッケージ、例えば紙袋、厚紙管または他のセルロース系容器に納め、次いでこれを、開かずにシロアリ食餌場に投下または配置することができる。この実施態様においてシロアリは、セルロース系パッケージ物質をすっかり食べ、それによりその中に含まれている食餌組成物に接近する。食餌組成物のためのパッケージの使用は、粉末化食餌組成物が使用されるまでそれを新鮮な状態に維持することを可能にする。パッケージの使用はまた、使用者がパック化食餌組成物中の殺虫剤または毒物に直接接触する必要が無いので、パック化食餌組成物の取扱いを安全にする。
【００１０】
（実施例）
以下の実施例は、本発明の実施を例証する。
実施例１
以下の配合物を、シロアリ食餌誘引物質としての相対的な効力を測定するため試験した。
【００１１】
【表１】
2004517104.tif 000002
【００１２】
使用した微結晶セルロースは、平均粒度２０マイクロメートルを有し、使用した Ｓｏｌｋａ Ｆｌｏｃｋ は、２０〜１００マイクロメートルの範囲の平均粒度を有した。
試験を、選択試験アリーナ配列を使用して行った。この配列では８つの給餌室が、中央のシロアリ室を、中央室から各給餌室または食餌場に伸びる管を用いた車輪配置で取り囲んでいる。１つの給餌室は、これらの７通路試験に対して空のままにした。これらは、シロアリ群（レチカリターメス・フラビペス（Ｒｅｔｉｃｕｌｉｔｅｒｍｅｓ ｆｌａｖｉｐｅｓ） （Ｋｏｌｌａｒ））に対して同時に存在する１１個のシロアリ食餌誘引物質の中からの３つの組合せである。各組合せは、木材を１つの選択（対照または標準食物）として含み、１つの食餌（０５４）だけが、３つの組合せのそれぞれに存在した。これらを、食餌誘引物質の各組合せで４回反復試験した。
以下の表は、シロアリ給餌率（取り去られた食餌（ｍｇ）／シロアリ（ｇ）／日）に関する試験結果をまとめている。
【００１３】
【表２】
2004517104.tif 000003
【００１４】
【表３】
2004517104.tif 000004
【００１５】
【表４】
2004517104.tif 000005
【００１６】
以下の表は、上記試験についての給餌率（食餌（ｍｇ）／シロアリ（ｇ）／日）の平均を示す。
【表５】
2004517104.tif 000006
示されているように、微結晶セルロース（配合物０２５）は、有効なシロアリ食餌誘引物質である。
【００１７】
実施例２
シロアリ食餌活性成分または殺虫剤ジフルベンズロン（ｄｉｆｌｕｂｅｎｚｕｒｏｎ）、エマメクチンベンゾエート（ｅｍａｍｅｃｔｉｎ ｂｅｎｚｏａｔｅ）およびチアメトキサン（ｔｈｉａｍｅｔｈｏｘａｍ）を、それらの効力について試験した。試験したシロアリ種は、レチカリターメス・ビルギニカス（Ｒｅｔｉｃｕｌｉｔｅｒｍｅｓ ｖｉｒｇｉｎｉｃｕｓ）であった。使用した方法論は、実施例１で使用した標準「選択ボックス」試験であり、その中でシロアリは、未処理木材を有する中央室に放出された。中央室は、Ｔｙｇｏｎ 管（２ｍｍ １Ｄ）を用いて、本発明のシロアリ食餌組成物（２０マイクロメートルの平均粒度を有する微結晶セルロース粉末およびシロアリ殺虫剤）または未処理松材を含有する周辺の給餌室に連結されていた。各反復試験は、処理セルロース粉末１ｇまたは未処理松材３片（１ｃｍ）の選択を与えた。２５日または３７日の終わりに、生存シロアリ数を計測した。同時に、松材またはシロアリ食餌組成物の消費量を測定した。処置を２回反復した。
その結果を、以下の表に示す。
【００１８】
【表６】
2004517104.tif 000007
【００１９】
見られるように、チアメトキサンおよびエマメクチンベンゾエートを含有する食餌組成物は、接触によりシロアリを殺したのに対し、ジミリンは、摂取によりシロアリを殺した。この結果は、ジミリンは３７日の暴露後にほぼ完全な抑制を与え、チアメトキサンおよびエマメクチンベンゾエートの両方は、２５日後にシロアリを１００％殺したことを示す。比較的少ないセルロース粉末が消費されているが、処理粉末は、未処理木材よりも多く取り出されていた。
【００２０】
上記を考慮すると、本発明のいくつかの目的は達成され、他の有利な結果に到達することが分かるであろう。
様々な変更を、本発明の範囲から離れること無く上記の方法および組成物においてなすことができるように、上の記載に含まれ、添付図面に示されているあらゆる事柄は、例証として解釈されるべきであり、限定の意味ではないことを予定している。
【国際公開パンフレット】
2004517104.tif 000008
2004517104.tif 000009
2004517104.tif 000010
2004517104.tif 000011
2004517104.tif 000012
2004517104.tif 000013
2004517104.tif 000014
2004517104.tif 000015
2004517104.tif 000016
2004517104.tif 000017
2004517104.tif 000018
2004517104.tif 000019
【国際調査報告】
2004517104.tif 000020
2004517104.tif 000021
2004517104.tif 000022